(57)【要約】【課題】建築物の電波閉塞箇所で、既設の消火設備等の導線又は配管を利用し、送信と受信において使用する通信媒体を分離し、建物内外にある指令所と安定して連絡が出来る消防隊員の通信方法を提供する。【解決手段】電波閉塞箇所が有る建築物Ａで、消防用送水口１ａと送水管１及び配管とは導通状態にし、電波閉塞箇所の各消火栓ボックス３の消火栓ホース４に導線を添わせ、導線は消火栓ボックス３内の取水口と導通状態にし、送受信機を携帯した消防隊員Ｄが電波閉塞箇所に進入し、消火栓ホース４を延伸し、送受信機で、消防用送水口１ａから連結送水管１に電波を重畳させて電波閉塞箇所の消防隊員に送信し、消防隊員Ｄは携帯した送受信機により受信し、消防隊員Ｄは、送受信機で、消火栓ホース４の導線と消火栓用送水管２に電波を重畳させ、連結送水管１を介して消防用送水口１ａに送信し、消防用送水口１ａで送受信機により送信を受信する。【選択図】図１
2005052174.tif 000002
【特許請求の範囲】
【請求項１】
一階に、連結送水管に続く消防用送水口を有し、各階に、上記連結送水管から消火栓用送水管を経て送水される消火栓ボックス、上記連結送水管からスプリンクラー配管を経て送水されるスプリンクラーを有し、
さらに電灯線配線、消火栓ランプ回線、非常電話回線又はコンセント回線のうち少なくとも一つを有し、上記消火栓ボックスには、消火栓ランプ回線が接続され、地上又は地下に電波閉塞箇所を有する建築物において、
上記消防用送水口と上記送水管及び配管とは導通状態にあるものとし、
上記電波閉塞箇所に設けられた各消火栓ボックスに収納されている消火栓ホースに導線を添わせ、当該導線は当該消火栓ボックス内の取水口と導通状態にあるものとし、
送受信機を携帯した消防隊員が上記電波閉塞箇所に進入し、当該箇所の消火栓ボックスから上記消火栓ホースを取り出して延伸し、
上記一階の消防用送水口付近から送受信機を使用し、電磁誘導結合器により上記消防用送水口から上記連結送水管、消火栓送水管及びスプリンクラー配管を電磁誘導媒体として電波を重畳させて上記電波閉塞箇所に居る消防隊員に向けて送信し、当該電波閉塞箇所に居る消防隊員は携帯した送受信機により最寄りのスプリンクラーからこれを受信し、
当該電波閉塞箇所に居る消防隊員は、当該送受信機を使用し、電磁誘導結合器により上記消火栓ホースの導線と消火栓用送水管を電磁誘導媒体とし、又は、電磁誘導結合器により上記消火栓ホースの導線と上記消火栓ランプ回線、コンセント回線、又は非常電話回線を経て、消火栓用送水管の何れか一つ又は複数のものを電磁誘導媒体として電波を重畳させ、
上記連結送水管を介して上記一階の消防用送水口まで送信し、当該消防用送水口近くで送受信機により当該送信を受信することを特徴とする、電波閉塞箇所における消防隊員の通信方法。
【請求項２】
上記請求項１に記載の電波閉塞箇所における消防隊員の通信方法において、
当該電波閉塞箇所に設けられたコンセントにコンセントアンテナを接続し、当該コンセントアンテナの一端を当該建築物の外に垂らし、当該電波閉塞箇所において、消防隊員は電波をコンセント回線から消防用送水口を媒体として電磁誘導結合により送信し、送信された当該電波を当該建築物外にある送受信機により受信し、かつ上記消防隊員から外部への通信補助手段として、消防隊員の送受信機から発した電波を上記コンセント回線を通して上記建築物の外に垂らしたコンセントアンテナから外部へ飛ばし、建築物から離れた箇所の消防隊員が持つ送受信機と無線通信可能とすることを特徴とする、電波閉塞箇所における消防隊員の通信方法。
【請求項３】
動力線、電灯線配線、電話線、接地線、水道管設備配管等の複数の既設の導線又は配管が夫々近接して相互に電波の電磁誘導可能な範囲内に並設された建造物において、
上記通信の際、連結送水管、消火栓用送水管、及びスプリンクラー配管の経路に電波を重畳させ、また消火栓ランプ回線、コンセント回線、又は非常電話回線を経て消火栓用送水管の経路に電波を重畳させているが、これらの経路に換えて、
上記送受信機に接合した結合器を上記複数の導線又は配管の何れかに近接又は接触させて、これらの複数の導線又は配管を電磁誘導媒体として電波を重畳し、通信することを特徴とする、上記請求項１又は２の何れかに記載の電波閉塞箇所における消防隊員の通信方法。
【発明の詳細な説明】
【０００１】
【発明の属する技術分野】
この発明は、消火作業のために、建築物の電波閉塞箇所にいる消防隊員と、当該建築物の内外にいる人との間で、電波閉塞箇所であっても既設の消火設備等の導線又は配管を通信媒体として通信できる消防隊員の通信方法に関するものである。
【０００２】
【従来の技術】
従来、消防隊における消火活動においては、常に生命の危険が伴っており、炎上している建築物内部に入っている個々の消防隊員は、外部の指令所と連絡ができるように夫々無線機を携帯しており、常時現場の炎上及び消火状況を指令所に連絡しながら消火活動を行っている。
【０００３】
【発明が解決しようとする課題】
しかしながら、地上や地下に設けられた建築物においては、無線機が使用できない電波閉塞箇所がある。消火活動でこの電波閉塞箇所に入った消防隊員は、自分の位置、また炎上の状況及び消火の状況を指令所に連絡することが出来ず、非常に危険な状況にあることになり、この様な電波閉塞箇所における建物外にある指令所との連絡方法が望まれる。
【０００４】
一方、電力ケーブルの外部導体、電灯線配線、その他金具等の導体は、夫々固有の誘導媒体係数を有しており、当該誘導媒体係数の相違により、通信の際不具合が生じており、この様な誘導媒体では、通信を円滑に行うために、電磁誘導による通信媒体としてのアンテナ設定を送信と受信とで分離することが可能である。
【０００５】
そこでこの発明は、建築物の電波閉塞箇所であっても、当該建築物に設けられた既設の消火設備等の導線又は配管を利用し、送信と受信において使用する通信媒体を分離し、建物内外にある指令所等と確実かつ安定して連絡が出来る消防隊員の通信方法を提供して上記課題を解決するものである。
【０００６】
【課題を解決するための手段】
請求項１の発明は、一階に、連結送水管に続く消防用送水口を有し、各階に、上記連結送水管から消火栓用送水管を経て送水される消火栓ボックス、上記連結送水管からスプリンクラー配管を経て送水されるスプリンクラーを有し、さらに電灯線配線、消火栓ランプ回線、非常電話回線又はコンセント回線のうち少なくとも一つを有し、上記消火栓ボックスには、消火栓ランプ回線が接続され、地上又は地下に電波閉塞箇所を有する建築物において、上記消防用送水口と上記送水管及び配管とは導通状態にあるものとし、上記電波閉塞箇所に設けられた各消火栓ボックスに収納されている消火栓ホースに導線を添わせ、当該導線は当該消火栓ボックス内の取水口と導通状態にあるものとし、送受信機を携帯した消防隊員が上記電波閉塞箇所に進入し、当該箇所の消火栓ボックスから上記消火栓ホースを取り出して延伸し、上記一階の消防用送水口付近から送受信機を使用し、電磁誘導結合器により上記消防用送水口から上記連結送水管、消火栓送水管及びスプリンクラー配管を電磁誘導媒体として電波を重畳させて上記電波閉塞箇所に居る消防隊員に向けて送信し、当該電波閉塞箇所に居る消防隊員は携帯した送受信機により最寄りのスプリンクラーからこれを受信し、当該電波閉塞箇所に居る消防隊員は、当該送受信機を使用し、電磁誘導結合器により上記消火栓ホースの導線と消火栓用送水管を電磁誘導媒体とし、又は、電磁誘導結合器により上記消火栓ホースの導線と上記消火栓ランプ回線、コンセント回線、又は非常電話回線を経て、消火栓用送水管の何れか一つ又は複数のものを電磁誘導媒体として電波を重畳させ、上記連結送水管を介して上記一階の消防用送水口まで送信し、当該消防用送水口近くで送受信機により当該送信を受信する電波閉塞箇所における消防隊員の通信方法とした。
【０００７】
請求項２の発明は、上記請求項１に記載の電波閉塞箇所における消防隊員の通信方法において、当該電波閉塞箇所に設けられたコンセントにコンセントアンテナを接続し、当該コンセントアンテナの一端を当該建築物の外に垂らし、当該電波閉塞箇所において、消防隊員は電波をコンセント回線から消防用送水口を媒体として電磁誘導結合により送信し、送信された当該電波を当該建築物外にある送受信機により受信し、かつ上記消防隊員から外部への通信補助手段として、消防隊員の送受信機から発した電波を上記コンセント回線を通して上記建築物の外に垂らしたコンセントアンテナから外部へ飛ばし、建築物から離れた箇所の消防隊員が持つ送受信機と無線通信可能とする電波閉塞箇所における消防隊員の通信方法とした。
【０００８】
請求項３の発明は、動力線、電灯線配線、電話線、接地線、水道管設備配管等の複数の既設の導線又は配管が夫々近接して相互に電波の電磁誘導可能な範囲内に並設された建造物において、上記通信の際、連結送水管、消火栓用送水管、及びスプリンクラー配管の経路に電波を重畳させ、また消火栓ランプ回線、コンセント回線、又は非常電話回線を経て消火栓用送水管の経路に電波を重畳させているが、これらの経路に換えて、上記送受信機に接合した結合器を上記複数の導線又は配管の何れかに近接又は接触させて、これらの複数の導線又は配管を電磁誘導媒体として電波を重畳し、通信する上記請求項１又は２の何れかに記載の電波閉塞箇所における消防隊員の通信方法とした。
【０００９】
【発明の実施の形態】
以下、この発明の実施の形態例を図に基づいて説明する。
図１は、高層ビルＡ（図１は、地上１階、最上階、地下１、２、３階のみを示す）を示す。一定規模の高層ビルでは、消防法の定めにより、この高層ビルＡの一階の外壁面に、連結送水管１の金属製の送水口１ａ（以下「消防用送水口１ａ」という）を設けている。この消防用送水口１ａは、高層ビルＡにおける火災発生の際、ビル内の消火活動のための給水を目的としたもので、あらかじめ連結送水管を各階に渡って設置しておき、消防隊員到着後すぐに放水できるように設けられたもので、通常は、蓋が締められている。この消防用送水口１ａの連結送水管１に続いて消火栓用送水管２が伸びて各階の消火栓ボックス３に繋がっている（図１では、地下３階でのみ示す）。
【００１０】
消防用送水口１ａに接続する連結送水管１は、消火栓用送水管２や後述するスプリンクラー配管とは電気的に接続されており、また連結送水管１及び消火栓用送水管２は、後述する各階に設置された消火栓ボックス３内に設けられた消火栓ホース用の取水口において、消火栓ランプ回線、コンセント回線、非常電話回線と電磁誘導結合器（以下「結合器」と言う）により電磁誘導可能に設けられている。また消火栓ランプ回線又はコンセント回線は、消防用送水口１ａの連結送水管１と最も接近する位置で結合器によって電磁誘導可能に設けられている（図示省略）。
【００１１】
同様に、各階には、その広さに応じて、屋内消火栓設備やスプリンクラー設備等の消火設備が設置されている。図２及び図３に示すのは、屋内消火栓ボックス３であり、この屋内消火栓ボックス３の布製の消火栓ホース４は、高層ビルＡの屋上に設けた高架水槽５に水を汲み上げるポンプや送水管などとつながっている。各階に設置されている屋内消火栓ボックス３は、上部と下部に区切られており、上部の中央には、火災発生をボタンを押して知らせる火災報知器３ａと、上記ボタンを押した後点灯する消火栓ランプ３ｂが設けられており、各消火栓ランプ３ｂからは、夫々消火栓ランプ回線３ｈが出ている（図３参照）。火災報知器３ａと消火栓ランプ３ｂの両脇には、火災発生を音で知らせるスピーカー３ｃが夫々設けられている。
【００１２】
またこの消火栓ボックス３の上部の内側には、非常電話３ｄが設けられており、この非常電話３ｄからは非常電話回線３ｅが延びている（図３参照）。そして消火栓ボックス３の下部の正面は開閉自在な扉３ｆとなっており、その内側には、一端を当該消火栓ボックス３内の取水口に取り付けた、長さ２０ｍの消火栓ホース４を巻き回したかたちで収納している（図３参照）。この消火栓ホース４は、先端の吹き出し口及び後端の取付具を金具で設けており（図示省略）、これらの金属の両端を接続して、この消火栓ホース４に導線を添わせて設けている（図示省略）。屋内消火栓ボックス３は、中に納められる消火栓ホース４の長さから、隣接する他の屋内消火栓ボックス３の少なくとも半径２０ｍ以内に設置しなければならないようになっている。さらに図１では、地下３階に設置した複数の屋内消火栓ボックス３の中の３個を示している。
【００１３】
スプリンクラー設備は、高架水槽５に水を汲み上げるポンプ（図示省略）、スプリンクラー配管６、天井に設置され水を放出するスプリンクラーヘッド６ａから成り、各スプリンクラーヘッド６ａは、一定距離離して設置されている。スプリンクラー配管６は、連結送水管１と接続されており、消防用送水口１ａと導電体として繋がっている。図１では、この様なスプリンクラー設備のスプリンクラーヘッド６ａを最上階に設置した中の３個を示している（他の階における図示は省略）。また天井には、照明器具７を設けており、さらに通常の建物と同様に電灯線配線８やコンセント回線９が配設されている。この実施の形態例における高層ビルＡでは、地上１階、最上階、地下１、２、３階の全ての階が電波閉塞箇所になっている。
【００１４】
この様な高層ビルＡにおいて、火災が発生した場合、消防隊員Ｂが火災現場に到着した後、消防用送水口１ａに消防隊のポンプ車Ｃから伸ばした給水ホース１０の一端を取り付ける。この給水ホース１０の中には、この給水ホース１０が電磁誘導媒体と成るように、給水ホース１０の両端の金属製の接続具に接続した導線を添わせて設けており（図示省略）、上記この給水ホース１０の一端を消防用送水口１ａに取り付けた時点でこれらは、導通状態（電気的接続状態）にあるものとする。
【００１５】
そして送受信機１１を携帯した消防隊員Ｄがこの高層ビルＡの電波閉塞箇所である地下２階に消火のために進入し、図１に示すように、当該箇所の消火栓ボックス３から上記消火栓ホース４を取り出して延伸し、放水する。一方上記地上のポンプ車Ｃの近くにいる消防隊員Ｂは、送受信機１１（ここでは、イアホンと小型のマイクとする。）に接続した結合器１２の誘導媒体係数を給水ホース１０の導線を形成している金属に対応した数値に合わせ、この送受信機１１と結合器１２を携帯した消防隊員Ｂは、結合器１２が給水ホース１０の中に設けた導線に対して近くなるようにして携帯した送受信機１１を使って、この消防用送水口１ａに電気的に接続した給水ホース１０の導線、消防用送水口１ａ、連結送水管１及びスプリンクラー配管６を電磁誘導媒体として電波を重畳させて上記電波閉塞箇所に居る消防隊員Ｄに向けて送信する。この時消防隊員Ｂが電波閉塞箇所に居る消防隊員Ｄに送信する場合、又は時消防隊員Ｄが地上の高層ビルＡの外に居る消防隊員Ｂに送信する場合、高層ビルＡにおいて、電磁誘導媒体としてどの配管又は導線を使用した送受信ルートが存在するかは、高層ビルによって、あらかじめ２〜３決められているものとする。
【００１６】
電波閉塞箇所にいる消防隊員Ｄは、送受信機１１と共にこの送受信機１１に接続した結合器１３を携帯しており、この結合器１３は、天井に設けられているスプリンクラー配管６を形成している金属に対応した数値に合わせている。この時天井に設けられたスプリンクラー配管６の下に消防隊員Ｄはいるので、消防隊員Ｄが携帯している送受信機１１は、スプリンクラーヘッド６ａから受信可能な関係にある。これにより消防隊員Ｄは、送受信機１１により、地上にいる消火隊員Ｂからの信号を受信する。
【００１７】
次にこの消火栓ホース４を持った消防隊員Ｄは、送受信機１１を使用して地上にいる消防隊員Ｂに送信する。結合器１３の誘導媒体係数を消火栓ホース４の導線を形成している金属に対応した数値に合わせる。この消防隊員Ｄが消火栓ホース４を持っている場合、この消防隊員Ｄが携帯している結合器１３と消火栓ホース４に織り込まれた導線との距離は、数ｃｍから数十ｃｍであり、消防隊員Ｄからの送信は、電磁誘導によって伝達され、さらに消火栓ボックス内においてあらかじめ設けられた結合器を介して電磁誘導により、この消火栓ホース４の導線から消火栓ランプ回線３ｈに伝わり、さらに消火栓用送水管２に伝わって電波を重畳させて地上の上記消防用送水口１ａまで伝達される。
【００１８】
地上の消防用送水口１ａに取り付けた給水ホース１０の近くに居る消防隊員Ｂは、送受信機と接続した結合器１２を給水ホース１０の導線を形成している金属に対応した数値に合わせ、結合器１２が給水ホース１０に設けた導線と近接するように、給水ホース１０の近くに立ち、消防隊員Ｄからの上記送信を送受信機１１により受信する。
【００１９】
図４は、送受信機１１の出力端と接続した結合インタフェイス１４及び上記結合器１２（１３）の概略構成図を示すものである。この結合器１２（１３）は、上記結合インタフェイス１４の出力端とトランスＴｒが接続され、当該トランスＴｒの１次側に接続したコイル１２ｃ（１３ｃ）をフェライトバー１２ｄ（１３ｄ）に巻きつけ、かつ、このフェライトバー１２ｄ（１３ｄ）に別途巻きつけたコイル１２ｆ（１３ｆ）とコンデンサ１２ｅ（１３ｅ）とにより同調回路を設けており、さらにこの結合器１２（１３）を介して電波を重畳させる金属等の媒体の誘導媒体係数に合わせて、電波を調整できる機能を有する。例えば電波を重畳させる配管や導線としては、鉄や銅から成るものが多いので、鉄と銅の誘導媒体係数をカバーする範囲に設定する。
またここでは、この様な結合器１２（１３）を送信用と受信用の二つを一体に設けたもの、又はこれら二つの機能を有するものを使用している。なお図４では、地上にいる消火隊員Ｂが結合器１２を使用して給水ホース１０の導線を電磁誘導媒体として送受信する場合を示している。
【００２０】
次に図１に示すように、この高層ビルＡの各階に設けられた電波閉塞箇所である１階に設けられたコンセント１５にコンセントアンテナ１６を接続し、このコンセントアンテナ１６の一端をこの高層ビルＡの窓から外に垂らす。上記実施の形態例において示した、消火栓ホース４の導体、消火栓ランプ回線３ｈから同じ階の消火栓用送水管２、消防用送水口１ａ、給水ホース１０の導体を電磁誘導媒体として電波を重畳して、この高層ビルＡ外にある送受信機１１により受信し、かつ上記電波閉塞箇所にいる消防隊員Ｄから外部への通信補助手段として、電波閉塞箇所にいる消防隊員Ｄの送受信機１１に接続した結合器１３を上記コンセント回線９に近接させてコンセント回線９に重畳させて送信し、この高層ビルＡの外に垂らしたコンセントアンテナ１６から外部へ飛ばし、高層ビルＡから離れた箇所の消防隊の指揮車にいる消防隊員（図示省略）の送受信機と無線通信する。
【００２１】
また次にこの高層ビルＡにおいては、図５に示すように、動力線１７、電灯線配線８、電話線１９、接地線、水道管設備配管２０、コンセント回線９などの複数の既設の導線又は配管は、夫々並設されている箇所において、夫々近接して相互に電波の電磁誘導可能な範囲内に設けられている。
【００２２】
よって、電磁誘導可能な範囲内に並設されている、電灯線配線８、電話線１９、接地線、水道管設備配管２０、コンセント回線９などの導線又は配管の全体が誘導媒体となり、これらのうちの一つの導線又は配管に上記送受信機に接続された結合器１２（１３）を近接又は接触させて信号を重畳させ、これらから離れた箇所でこれらのうちの任意の導線又は配管に結合器１２（１３）を近接又は接触させて信号を取り出すことができる。それ故、例え結合器１２（１３）を接続したスプリンクラー配管６や消火栓ランプ回線３ｈが災害や事故などでその途中で断線や一部断線などしていても、これらの導体又は配管の他の部位で任意のものに結合器１２（１３）を接触又は近接させて消防隊員間で送受信することができる。ただしこの送受信ルートは、感度的に常に安定したものとは言えず、送受信ルートとしては、補助的なものである。また上記以外にも連結送水管１、消火栓用送水管２、スプリンクラー配管６、消火栓ランプ回線３ｈ、非常電話回線３ｅなども同様に、並設されている箇所において、電磁誘導可能に設けることもでき、その場合上記と同様の効果を奏する。
【００２３】
上記実施の形態例において、電波閉塞箇所にいる消防隊員Ｄが地上にいる消防隊員Ｂに応答するのに、消火栓ホース４、消火栓ランプ回線３ｈ、消火栓用送水管２、消防用送水口１ａを電磁誘導媒体としているが、消火栓ランプ回線３ｈに換えて、コンセント回線９、消火栓用送水管２、非常電話回線３ｅを使用することも出来る。
【００２４】
さらに地上に設けた消防用送水口１ａに給水ホース１０を繋げて、この給水ホース１０を電磁誘導媒体に加えて使用しているが、この給水ホース１０を加えることは、この発明の必須要件ではない。また結合器１２（１３）として、具体的に記載しているが、結合器１２（１３）としては、記載されたものに限るものではない。
【００２５】
【発明の効果】
請求項１乃至３の各発明によれば、電波閉塞箇所にいる消防隊員と、それ以外の所にいる消防隊員等との送受信において、電磁誘導による通信媒体のアンテナ設定として、建築物に既設の消火設備や電気設備等を使用し、送信に使用する電磁誘導媒体と受信に使用する電磁誘導媒体として、一部を除いて夫々別の導線又は配管を使用したので、電波閉塞箇所における送受信であっても、確実かつ安定して通話を行うことが出来る。
【００２６】
請求項２の発明によれば、電波閉塞箇所の内側からコンセントアンテナを外側に垂らしたので、請求項１の発明による通信方法が何らかの原因で通信不能となった時でも、安定して確実にこの電波閉塞箇所外にいる人々と通信することが出来るので、極めて安心である。さらに請求項３の発明によれば、電磁誘導媒体として選択された導線又は配管と、電磁誘導可能な範囲内に並設された導線又は配管が有る場合、選択された導線又は配管が災害や事故、また老朽化して破損等し、途中で断線や一部断線などしていても、これらの導体又は配管の他の部位で任意の導線又は配管に結合器を接触又は近接させて消防隊員間で送受信することができる。
【図面の簡単な説明】
【図１】この発明の実施の形態例の高層ビルの構成を示す説明図である。
【図２】この発明の実施の形態例の屋内消火栓ボックスの正面図である。
【図３】この発明の実施の形態例の高層ビルにおいて、屋内消火栓ボックス及びスプリンクラー設備を設けた階の説明図である。
【図４】この発明の実施の形態例の結合器の構成図である。
【図５】この発明の実施の形態例の電磁誘導可能な範囲内に並設されている複数の導線又は配管を示す説明図である。
【符号の説明】
Ａ    高層ビル                        Ｂ    消火隊員
Ｄ    消防隊員
１    連結送水管                      １ａ  消防用送水口
２    消火栓用送水管                  ３    屋内消火栓ボックス
３ｄ  非常電話                        ３ｅ  非常電話回線
４    消火栓ホース                    ６    スプリンクラー配管
８    電灯線配線                      ９    コンセント回線
１１    送受信機                      １２    結合器
１３    結合器                        １５    コンセント
１６    コンセントアンテナ            １７    動力線
１９    電話線                        ２０    水道管設備配管
【図１】
2005052174.tif 000003
【図２】
2005052174.tif 000004
【図３】
2005052174.tif 000005
【図４】
2005052174.tif 000006
【図５】
2005052174.tif 000007